(57)【要約】【課題】  各部分間の温度差に起因する軸ずれを防止することにより，光学部品の成形にも使用できるほど高い成形精度を持つ光学部品成形装置およびその方法を提供すること。【解決手段】  固定金型７を取り付ける固定プラテン１と，後部プラテン３と，固定プラテン１と後部プラテン３との間に設けられ互いに平行な上方および下方タイバー４，９と，上方および下方タイバー４，９に対して摺動可能に設けられ，可動金型８を取り付ける可動プラテン５とを有する光学部品成形装置において，固定プラテン１，後部プラテン３，可動プラテン５，上方タイバー４，および下方タイバー９にそれぞれ温度調整機を設け，各部分を個別に温度調整して成形を行うようにした。【選択図】          図１
2006212980.tif 000002
【特許請求の範囲】
【請求項１】
固定金型を取り付ける固定プラテンと，前記固定プラテンに設けられ互いに平行な複数本のタイバーと，前記複数本のタイバーに対して摺動可能に設けられ，可動金型を取り付ける可動プラテンとを有し，固定金型と可動金型とで光学部品を成形する光学部品成形装置において，
前記固定プラテンと，前記複数本のタイバーとを所定温度に温度調整する温度調整機を有することを特徴とする光学部品成形装置。
【請求項２】
固定金型を取り付ける固定プラテンと，後部プラテンと，前記固定プラテンと前記後部プラテンとの間に設けられ互いに平行な複数本のタイバーと，前記複数本のタイバーに対して摺動可能に設けられ，可動金型を取り付ける可動プラテンとを有し，固定金型と可動金型とで光学部品を成形する光学部品成形装置において，
前記固定プラテンと，前記後部プラテンとを所定温度に温度調整する温度調整機を有することを特徴とする光学部品成形装置。
【請求項３】
請求項１または請求項２に記載の光学部品成形装置において，
前記温度調整機の温度調整の対象に前記可動プラテンが含まれることを特徴とする光学部品成形装置。
【請求項４】
請求項１から請求項３までのいずれか１つに記載の光学部品成形装置において，
前記温度調整機は，各温度調整対象の温度を個別に調整するものであり，各温度調整対象間の温度差が５．５Ｋ以内となるように温度調整することを特徴とする光学部品成形装置。
【請求項５】
請求項１から請求項４までのいずれか１つに記載の光学部品成形装置において，
前記温度調整機は，各温度調整対象の温度を個別に調整するものであり，各温度調整対象間の温度差の変動が１Ｋ以内となるように温度調整することを特徴とする光学部品成形装置。
【請求項６】
固定金型を取り付ける固定プラテンと，前記固定プラテンに設けられ互いに平行な複数本のタイバーと，前記複数本のタイバーに対して摺動可能に設けられ，可動金型を取り付ける可動プラテンとを用い，固定金型と可動金型とで光学部品を成形する光学部品成形方法において，
前記固定プラテンと，前記複数本のタイバーとを所定温度に温度調整しつつ成形を行うことを特徴とする光学部品成形方法。
【請求項７】
固定金型を取り付ける固定プラテンと，後部プラテンと，前記固定プラテンと前記後部プラテンとの間に設けられ互いに平行な複数本のタイバーと，前記複数本のタイバーに対して摺動可能に設けられ，可動金型を取り付ける可動プラテンとを用い，固定金型と可動金型とで光学部品を成形する光学部品成形方法において，
前記固定プラテンと，前記後部プラテンとを所定温度に温度調整しつつ成形を行うことを特徴とする光学部品成形方法。
【請求項８】
請求項６または請求項７に記載の光学部品成形方法において，
温度調整の対象に前記可動プラテンが含まれることを特徴とする光学部品成形方法。
【請求項９】
請求項６から請求項８までのいずれか１つに記載の光学部品成形方法において，
各温度調整対象の温度を個別に調整し，各温度調整対象間の温度差が５．５Ｋ以内となるように温度調整しつつ成形を行うことを特徴とする光学部品成形方法。
【請求項１０】
請求項６から請求項９までのいずれか１つに記載の光学部品成形方法において，
各温度調整対象の温度を個別に調整し，各温度調整対象間の温度差の変動が１Ｋ以内となるように温度調整しつつ成形を行うことを特徴とする光学部品成形方法。
【発明の詳細な説明】
【技術分野】
【０００１】
本発明は，金型を用いて光学部品を成形する光学部品成形装置およびその方法に関する。さらに詳細には，成形装置の各部分間の温度差もしくはその変動に起因する軸ずれを防止して成形精度の向上を図った光学部品成形装置およびその方法に関するものである。
【背景技術】
【０００２】
従来から，金型を用いて射出成形により種々の成形品を製造することが行われている。例えば特許文献１には，情報記録媒体用のディスクを成形するための方法およびその成形機が開示されている。この文献に記載されている成形機は概略，図７に示すように構成されている。すなわちこの成形機は固定プラテン１０１と，シリンダ１０３とを有しており，これらの間に４本のタイバー１０４が架設されている。そしてタイバー１０４には可動プラテン１０５が摺動可能に支持されている。可動プラテン１０５はシリンダ１０３により駆動されるようになっている。固定プラテン１０１，可動プラテン１０５にはそれぞれ固定金型１０７，可動金型１０８が取り付けられている。
【０００３】
そして，シリンダ１０３により可動金型１０８を固定金型１０７に対して型締めした状態で，射出ユニット１１１から樹脂材料を供給してディスクを成形するのである。ここにおいて，固定プラテン１０１，可動プラテン１０５は温度調整を受けている。固定金型１０７および可動金型１０８を樹脂の成形温度に加熱するためである。
【特許文献１】特開平１０−３２３８７２号公報
【発明の開示】
【発明が解決しようとする課題】
【０００４】
しかしながら，前記した従来の成形機を，レンズその他の光学部品の成形に利用しようとすると，以下のような問題点があった。すなわち，従来の成形機では，固定プラテン１０１および可動プラテン１０５のみが温度調整を受けている。このような温度調整では，成形の軸ずれを防止するには不十分なのである。このため，成形機全体としては各部分間に相当に温度不均一があるままで成形が行われることになる。例えば，４本のタイバー１０４のうち下のものより上のものの方が高温になりがちである。温度調整により昇温した空気が上方へ向かうからである。これは，固定プラテン１０１と可動プラテン１０５との平行性を害する要因となる。また，連続成形する際に各部分間の温度差が変動することもある。これは，連続成形される個々の製品間でのばらつきの要因となる。
【０００５】
また，シリンダ１０３は温度調整を受けていないので，固定プラテン１０１や可動プラテン１０５程には昇温しない。これは，タイバー１０４同士の平行性を害し，さらに個々のタイバー１０４の直線性をも害する。このような状況で可動プラテン１０５がスムーズに動くためには，可動プラテン１０５とタイバー１０４との間のクリアランスを１０μｍ以上取る必要がある。しかしこれは，成形品の表裏面間の軸合わせ精度に跳ね返る。このことにより，光学部品のように極度に高い形状精度が求められるものの成形には不都合なのである。特に，携帯機器に搭載されるレンズや光ディスクの読み取り装置に用いられるピックアップレンズのような微小な光学部品の成形においては致命的であった。
【０００６】
本発明は，前記した従来の技術が有する問題点を解決するためになされたものである。すなわちその課題とするところは，各部分間の温度差あるいはその変動に起因する軸ずれを防止することにより，光学部品の成形にも使用できるほど高い成形精度を持つ光学部品成形装置およびその方法を提供することにある。
【課題を解決するための手段】
【０００７】
この課題の解決を目的としてなされた本発明の光学部品成形装置は，固定金型を取り付ける固定プラテンと，固定プラテンに設けられ互いに平行な複数本のタイバーと，複数本のタイバーに対して摺動可能に設けられ，可動金型を取り付ける可動プラテンとを有し，固定金型と可動金型とで光学部品を成形する装置であって，固定プラテンと，複数本のタイバーとを所定温度に温度調整する温度調整機を有している。あるいは本発明の光学部品成形装置は，後部プラテンをさらに有し，複数本のタイバーが固定プラテンと後部プラテンとの間に設けられた装置であって，温度調整機が固定プラテンと後部プラテンとを所定温度に温度調整するものである。なお，可動プラテンをも温度調整機の温度調整の対象に含まれていればさらによい。
【０００８】
また，本発明の光学部品成形方法は，固定金型を取り付ける固定プラテンと，固定プラテンに設けられ互いに平行な複数本のタイバーと，複数本のタイバーに対して摺動可能に設けられ，可動金型を取り付ける可動プラテンとを用い，固定金型と可動金型とで光学部品を成形するに際し，固定プラテンと，複数本のタイバーとを所定温度に温度調整しつつ成形を行う方法である。あるいは，後部プラテンをさらに用い，複数本のタイバーが固定プラテンと後部プラテンとの間に設けられた構成とし，固定プラテンと後部プラテンとを所定温度に温度調整しつつ成形を行う方法である。なお，可動プラテンをも温度調整機の温度調整の対象に含めればさらによい。
【０００９】
本発明においては，固定プラテンばかりでなく，タイバーと後部プラテンとの少なくとも一方も温度調整の対象となっている。このため，各部分間の温度差あるいはその変動が小さい状態で成形を行うことができる。このため成形品の形状精度がよく，微小な光学部品の成形にも好適である。
【００１０】
本発明においては，各温度調整対象の温度を個別に調整することが望ましい。温度調整対象たる構成要素ごとに，熱容量や放熱性，受熱性に差があり，昇温しやすさが違うからである。これらを個別に温度調整することにより，全体としての温度不均衡を最小限に押さえ込むことができる。特にタイバーについては，上方のタイバーと下方のタイバーとを別々に温度調整することが望ましい。上方のタイバーは，金型の周囲で加熱された空気の上昇により，下方のタイバーより熱を多く受けるからである。これにより，各温度調整対象間の温度差が最大でも５．５Ｋ（より好ましくは１Ｋ）を超えないようにして成形を行うのがよい。あるいは，各温度調整対象間の温度差の変動が１Ｋを超えないようにして成形を行うこととするのもよい。こうすれば，光学部品の成形にも十分な精度が得られる。     
【発明の効果】
【００１１】
本発明によれば，各部分間の温度差もしくはその変動に起因する軸ずれを防止することにより，微小光学部品の成形にも使用できるほど高い成形精度を持つ光学部品成形装置およびその方法が提供されている。
【発明を実施するための最良の形態】
【００１２】
以下，本発明を具体化した最良の形態について，添付図面を参照しつつ詳細に説明する。本形態は，携帯端末搭載カメラ用のレンズを製造するためのレンズ成形装置として本発明を具体化したものである。
【００１３】
本形態のレンズ形成装置は，図１に示すように構成されている。すなわち，フレーム２上に，固定プラテン１と後部プラテン３とが配置されている。これらのプラテンは，フレーム２に対して固定して設けられている。これらのプラテンを図１中側方から見ると，ほぼ正方形である。そして，固定プラテン１と後部プラテン３との間には，上方タイバー４と，下方タイバー９とが架設されている。上方タイバー４および下方タイバー９はいずれも実際には２本ずつあり，固定プラテン１および後部プラテン３の四隅に配置されている。上方タイバー４および下方タイバー９は，固定プラテン１および後部プラテン３に対して固定して設けられており，互いに平行である。
【００１４】
固定プラテン１と後部プラテン３との間に，可動プラテン５が配置されている。可動プラテン５は，図１中側方から見てほぼ正方形であり，その四隅付近を上方タイバー４および下方タイバー９が貫通している。可動プラテン５における各タイバーの貫通箇所には，ガイドブッシュ５１が設けられている。ガイドブッシュ５１と各タイバーとの間のクリアランスは３μｍに設定されている。可動プラテン５は，上方タイバー４および下方タイバー９に対して摺動可能である。可動プラテン５は，フレーム２から浮いた状態で上方タイバー４および下方タイバー９に支持されている。後部プラテン３には，油圧プレス６が設けられている。油圧プレス６と可動プラテン５は，タイロッド６１により接続されている。すなわち，油圧プレス６の駆動により油圧プレス６を図１中左右に移動させることができるようになっている。
【００１５】
固定プラテン１における可動プラテン５側の面には，固定金型７が取り付けられている。固定プラテン１におけるその裏側には，射出ユニット１１が設けられている。固定プラテン１における可動プラテン５側の面には，可動金型８が取り付けられている。さらに，後部プラテン３の温度調整をする温度調整機１２，可動プラテン５および可動金型８の温度調整をする温度調整機１３，固定プラテン１および固定金型７の温度調整をする温度調整機１４，下方タイバー９の温度調整をする温度調整機１５，上方タイバー４の温度調整をする温度調整機１６が設けられている。温度調整機１２〜１６は，オイルヒータであり，各々独立に調整対象の温度を調整するようになっている。温度調整機１５，１６はそれぞれ，２本のタイバーの温度調整を併せて担当する。
【００１６】
なお使用する溶融樹脂の種類は，例えば，特開２００４−１４４９５１号公報，特開２００４−１４４９５３号公報，特開２００４−１４４９５４号公報に記載されているものであればよい。
【００１７】
上記のように構成された本形態のレンズ形成装置は，温度調整機１２〜１６で各部を所定温度（１１０〜１３０℃程度）に昇温させ，その状態で成形を行う。すなわち，昇温した状態で図２に示すように型締めする。その状態で射出ユニット１１から両金型間のキャビティに溶融樹脂を供給してレンズを成形するのである。ここで，固定プラテン１および可動プラテン５ばかりでなく，後部プラテン３，上方タイバー４および下方タイバー９も温度調整されている。このため本形態のレンズ形成装置では，全体の温度差を５．５Ｋ以内に維持し，さらに温度差の変動が１Ｋを超えないようにして成形を行うようにしている。その詳細は後述する。このため，全体の熱膨張が均一であり，昇温状態でも，固定プラテン１と可動プラテン５との軸合わせ精度および平行度が良好に維持されている。各タイバー間の平行度も同様である。したがって，クリアランスが僅少に設定されているにもかかわらず，可動プラテン５の摺動はスムーズである。また，成形されるレンズの形状精度（面精度や表裏面の偏芯精度）は非常に高く，携帯端末搭載カメラ用やピックアップ用等の小径のレンズにも対応できる。
【００１８】
以下，このことをさらに詳細に説明する。
【００１９】
まず，後部プラテン３が温度調整されていることによる効果を説明する。もし，後部プラテン３が温度調整されていないと，後部プラテン３の温度は，上方タイバー４および下方タイバー９からの熱伝導により上昇することになる。このため，後部プラテン３の温度上昇は，固定プラテン１や可動プラテン５の温度上昇より遅れ，到達温度も低いこととなる。したがって，後部プラテン３の熱膨張が，固定プラテン１や可動プラテン５の熱膨張より小さい状態で成形が行われることとなる。このため，成形時の各部分の状況は，図３に模式的に示す状況となる。すなわち，後部プラテン３と固定プラテン１との熱膨張の差のために，タイバー間隔がプラテン間で違ってしまう。このため，上方タイバー４および下方タイバー９が撓んでしまい，平行性も害されている。また，上から見た図４で分かるように，上方タイバー４同士の平行性も害されている。下方タイバー９同士の平行性も同様に害されている。むろん図３および図４は，各部の変形を相当に誇張して描いたものである。
【００２０】
なお，後部プラテン３と他のプラテンとの温度差がある決まった値である状況を基準として，その状況下でタイバー間の平行性が出るように設計することも，一応可能ではある。しかし，後部プラテン３が温度調整されていないと，後部プラテン３と他のプラテンとの温度差は一定せず変動してしまう。このため結局，実際にはタイバー間の平行性は担保されないのである。
【００２１】
これらのような状態では，上方タイバー４および下方タイバー９に対する可動プラテン５の摺動性にも当然影響する。このような状況下でも可動プラテン５がスムーズに動くためには，ガイドブッシュ５１のクリアランスが１０μｍ以上必要である。しかしそれでは，可動プラテン５の位置精度がその分悪い。
【００２２】
これに対し，後部プラテン３が温度調整されている本実施の形態ではこのような弊害はない。すなわち，ガイドブッシュ５１のクリアランスが３μｍと小さくても可動プラテン５がスムーズに動く。このため，光学性能のよいレンズを成形することができるのである。
【００２３】
次に，上方タイバー４および下方タイバー９が別々に温度調整されていることによる効果を説明する。もし，上方タイバー４および下方タイバー９が温度調整されていないと，上方タイバー４および下方タイバー９の温度は，固定プラテン１，後部プラテン３，および可動プラテン５からの熱伝導により上昇することになる。このため，上方タイバー４および下方タイバー９の温度上昇は，固定プラテン１等の温度上昇より遅れ，到達温度も低いこととなる。したがって，上方タイバー４および下方タイバー９の径方向の熱膨張が可動プラテン５の熱膨張と異なり，歪みが生じてしまう。このためやはり，ガイドブッシュ５１のクリアランスを大きくしておかないと可動プラテン５がスムーズには動かない。
【００２４】
さらに，上方タイバー４については，固定金型７や可動金型８の周囲で加熱された空気の上昇気流による加熱をも受ける。下方タイバー９がこの上昇気流による加熱を受けることはない。このため，上方タイバー４と下方タイバー９との間に温度差が生じ，上方タイバー４の方がより高温となる。したがって，上方タイバー４の熱膨張が下方タイバー９の熱膨張より大きい状態で成形が行われることとなる。このため，成形時の各部分の状況は，図５に模式的に示す状況となる。すなわち，上方タイバー４と下方タイバー９との熱膨張差のために，固定プラテン１および後部プラテン３が少し傾いてしまっている。むろん図５は，各部の変形を相当に誇張して描いたものである。
【００２５】
なお，タイバー間の温度差等がある決まった値である状況を基準として，その状況下で可動プラテン５がスムーズに動きプラテン間の平行性が出るように設計することも，一応可能ではある。しかし，各タイバーが温度調整されていないと，各部分間の温度差は一定せず変動してしまう。このため結局，実際にはうまくいかないのである。
【００２６】
これらのような状態では，可動プラテン５の位置精度および角度精度が不十分である。また，可動プラテン５と固定プラテン１との平行性が害されている。この状態でレンズを成形すると当然ながら，固定金型７と可動金型８との軸ずれが発生する。このために，得られるレンズの光学性能が悪いのである。成形されるレンズの表裏面間に偏芯があるからである。
【００２７】
これに対し，上方タイバー４および下方タイバー９を温度調整することにより，このような弊害を緩和することができる。特に本実施の形態では，上方タイバー４および下方タイバー９が別々に温度調整されているので，上方タイバー４と下方タイバー９との温度差が微小な状態で成形を行うことができる。このため，形状精度のよいレンズが得られるのである。
【００２８】
以下，各部の温度と変形状況の測定例（比較例を含む）を説明する。まず，本測定例においては，各タイバーの測温箇所は，固定プラテン１と可動プラテン５の中間位置とした。また，上方タイバー４のうち操作側（操作部が設置される側，通常は図４中下側）のものについては，この他に後部プラテン３付近の位置をも測定した（以下，「Ｘ」で示す。）。１本のタイバー内の長さ方向での温度不均一を把握するためである。
【００２９】
表１（比較例１）は，温度調整しない場合の測定結果である。温度の単位はいずれも「℃」である（表２以下においても同じ）。なお試験中を通して，室温は２６℃であった。成形中の金型温度（固定金型７および可動金型８）は１１５℃，射出ユニット１１中の樹脂温度は２６０℃であった。「昇温直後」とは，固定金型７および可動金型８が成形温度１１５℃に達した直後のことである。表１に「成形開始３時間後」の欄が設けられているのは，固定金型７および可動金型８が成形温度に達してから，各部分の温度が概ね安定するのに３時間程度かかるからである。これより，成形開始後３時間経過までを「成形初期」といい，その後を「成形安定後」ということがある。
【００３０】
【表１】
2006212980.tif 000003
【００３１】
これより，各部分間の昇温直後の温度差（絶対値）が，表２に示すように算出される。表中，「可動Ｐ」，「固定Ｐ」，「後部Ｐ」とあるのはそれぞれ，可動プラテン５，固定プラテン１，後部プラテン３を示す。また，「タイバー間」とあるのは，上方タイバー４および下方タイバー５の計４本間での最大の温度差を示す。また，「タイバー長」とあるのは，操作側の上方タイバー４についての２箇所の測温箇所間の温度差を示す。表２から，固定プラテン１および可動プラテン５と，後部プラテン３との間にはかなりの温度差があることがわかる。同様に，タイバーの長手方向での温度差もかなりある。また，固定プラテン１と可動プラテン５との間にもある程度の温度差がある。これは，後部プラテン３との間の距離の違いによるものと考えられる。また，上下のタイバー間にもある程度の温度差がある。
【００３２】
【表２】
2006212980.tif 000004
【００３３】
固定金型７および可動金型８を昇温すると各プラテン間に表２のような温度差が生じる。その結果，可動プラテン５と固定プラテン１との間に１７μｍの軸ずれが発生した。
表２中の「軸ずれ」の欄は，プラテン間の温度差に起因する固定金型７と可動金型８との間の軸ずれ量である。「必要Ｃ」の欄は，各々の部分の熱膨張差に対し，可動プラテン５がスムーズに動くために必要なクリアランスであり，実験的に求めると５０μｍ必要であった。「平行度」の欄は，固定プラテン１と後部プラテン３との平行度の低下の程度を示す。タイバー間の温度差により，平行度３５μｍのずれが発生した。「軸ずれ」，「必要Ｃ」，「平行度」の単位はいずれも「μｍ」である（表３以下においても同じ）。表２中ではいずれも，かなり大きい（悪い）数値となっている。
【００３４】
【表３】
2006212980.tif 000005
【００３５】
【表４】
2006212980.tif 000006
【００３６】
表３および表４は，固定プラテン１および可動プラテン５のみ温度調整した場合の測定結果を示している。この場合でも後部プラテン３は，固定プラテン１および可動プラテン５に対して大きな温度差を有している。このためやはり，軸ずれ量が大きい値となっている。
【００３７】
【表５】
2006212980.tif 000007
【００３８】
成形開始から各部の温度が安定する３時間後，レンズ形成装置の各部の温度差は，表５に示す結果となった。表５の「成形初期の温度差」の欄は，表１中の「成形開始３時間後」の欄の数値から各部分間の温度差（絶対値）を求めたものである。表５の「軸ずれ」の欄は，昇温直後（成形開始時）とその３時間後との間で，固定金型７と可動金型８との間の軸ずれ量に２μｍの違いがあることを示している。これは各プラテン間の温度差によるものである。同様に上下のタイバー間に９．６℃の温度差が生じ，平行度９μｍのずれが発生したことを示している。各プラテン間の温度差によりタイバー間隔にずれが生じる。また，各タイバーはその温度上昇により径方向へ膨張する。そのため，可動プラテン５がスムーズに動くためには，ある程度以上のクリアランスが必要である。表５の「必要Ｃ」の欄は，可動プラテン５がスムーズに動くために必要なクリアランスを示している。これを実験的に求めると，１１μｍ以上であった。
【００３９】
【表６】
2006212980.tif 000008
【００４０】
表６は，成形安定後の連続成形中であっても，可動プラテン５の周期的な動き等の原因により，各部の温度差に２℃程度の変動があることを示している。成形安定後の連続成形中に各プラテン間の温度差が２℃変動することで，１μｍの軸ずれが発生した。
【００４１】
次に，固定プラテン１，可動プラテン５の他，後部プラテン３，上方タイバー４，下方タイバー９をも温度調整した場合（実施例１）について説明する。この場合の結果を表７〜表９に示す。表７に示すように昇温直後の各部分の温度差を５．５℃以下に抑えることで，昇温による軸ずれをわずか３μｍに抑えることができた。昇温直後の温度差が１℃以内となるようなさらに厳密な温度調整をすれば，軸ずれを０．５μｍ程度にまで抑えることも可能であった（表１０）。
【００４２】
このことにより，あらかじめ可動プラテン５と固定プラテン１との軸を合わせておけば，昇温による軸ずれを防止でき，成形開始後直ちに良品を得ることができた。また，表８に示すように，連続成形を開始することにより発生する温度差（成形初期の温度差）を１℃以内とすることで，この間に発生する軸ずれを０．５μｍ以下に抑えることができた。そしてさらには表９に示すように，連続成形中の温度差を１℃以内にすることで，連続成形中に発生する軸ずれをも０．５μｍ以下に抑えることができた。その結果，歩留まりが著しく向上した。
【００４３】
また，表８〜表１０に示すように，昇温から連続成形かけて上下のタイバー間の温度差を１℃以内とすることで，プラテン間の平行度のずれをわずか４μｍに抑えることができた。このようにレンズ形成装置の各部の温度調整を行うことで，可動プラテン５がスムーズに動くためのクリアランスを５μｍとすることができた。また軸ずれを０．５μｍに抑えることができた。
【００４４】
【表７】
2006212980.tif 000009
【００４５】
【表８】
2006212980.tif 000010
【００４６】
【表９】
2006212980.tif 000011
【００４７】
【表１０】
2006212980.tif 000012
【００４８】
【表１１】
2006212980.tif 000013
【００４９】
【表１２】
2006212980.tif 000014
【００５０】
【表１３】
2006212980.tif 000015
【００５１】
【表１４】
2006212980.tif 000016
【００５２】
次に，可動プラテン５を，図６に示すようにフレーム２上を摺動するものとしたフレーム支持方式の場合の測定例（比較例２および実施例２）を示す。この場合の可動プラテン５は，必ずしも，上方タイバー４および下方タイバー９のすべてに貫通されるものでなくてもよい。また，可動プラテン５のクリアランス自体，問題とならない。各部の温度差やその変動の値自体は，表１に示したものと同じであった。表１１および表１２は，固定プラテン１と可動プラテン５のみ温度調整した比較例２の場合である。表１３および表１４は，固定プラテン１，可動プラテン５の他，後部プラテン３，上方タイバー４，下方タイバー９をも温度調整し，各要素間の温度差が１Ｋを超えず，その変動も１Ｋを超えないように制御した場合である。この場合にも，各要素をすべて温度調整することにより，軸ずれや平行度低下を著しく低減できていることがわかる。
【００５３】
以上詳細に説明したように本実施の形態のレンズ成形装置では，固定プラテン１および可動プラテン５を温度調整するのみならず，後部プラテン３も温度調整することとしている。また，上方タイバー４および下方タイバー９も温度調整することとしている。ここにおいて，後部プラテン３，上方タイバー４，および下方タイバー９の温度調整はそれぞれ，他の温度調整から独立して行われるようになっている。このため，成形温度に昇温した状態でも，各部分が個別に目標温度に維持される。したがって本実施の形態のレンズ成形装置では，各部分間の温度差が５．５Ｋ（より好ましくは１Ｋ）を超えないように温度調整された状態で成形を行うことができる。このため成形時にも，各タイバーの平行性，固定プラテン１と可動プラテン５との平行性とも良好である。
【００５４】
また，各部分間の温度差が１Ｋを超えて変動しないように温度調整された状態で成形を行うことができる。このため成形時において，各タイバーの平行性，固定プラテン１と可動プラテン５との平行性が一定に維持される。かくして，携帯機器用等の小径のレンズにも対応できるレンズ成形装置が実現されている。むろんその対象は光学部品に限られるものではなく，表裏の位置ずれへの要求精度の厳しいあらゆる部品の成形に対応できる。
【００５５】
なお，本実施の形態は単なる例示にすぎず，本発明を何ら限定するものではない。したがって本発明は当然に，その要旨を逸脱しない範囲内で種々の改良，変形が可能である。例えば，図６に示したフレーム支持方式の場合，さらにＬＭガイド等のサポート付の構成であってもよい。また，フレーム２をも温度調整することとしてもよい。また，可動プラテン５を駆動する手段は，油圧プレスに限られない。電動トグル機その他何でもよい。また，可動プラテン５と固定プラテン１とは，温度調整機を共用してもよい。上方タイバー４や下方タイバー９については，個々の１本１本がそれぞれ専用の温度調整機を持つようにしてもよい。温度調整機は，オイルヒータに限らず，水循環式や電熱交換素子方式のものでもよい。タイバーの総本数は，「４」に限定されるわけではない。さらに，縦型成形機でもよい。
【図面の簡単な説明】
【００５６】
【図１】実施の形態に係るレンズ成形装置の構成を示す正面図である。
【図２】成形時の状況を示す正面図である。
【図３】後部プラテンの温度調整がない状態での各部の状況を示す模式図（正面図）である。
【図４】後部プラテンの温度調整がない状態での各部の状況を示す模式図（平面図）である。
【図５】タイバーの温度調整がない状態での各部の状況を示す模式図（正面図）である。
【図６】実施の形態の変形例に係るレンズ成形装置の構成を示す正面図である。
【図７】従来の射出成形機の概念図である。
【符号の説明】
【００５７】
１  固定プラテン
３  後部プラテン
４  上方タイバー
５  可動プラテン
９  下方タイバー
１２  温度調整機
１３  温度調整機
１４  温度調整機
１５  温度調整機
１６  温度調整機
【図１】
2006212980.tif 000017
【図２】
2006212980.tif 000018
【図３】
2006212980.tif 000019
【図４】
2006212980.tif 000020
【図５】
2006212980.tif 000021
【図６】
2006212980.tif 000022
【図７】
2006212980.tif 000023